(57)【要約】【課題】洗濯物を乾燥させる行程を有する洗濯乾燥機において、乾燥行程にて、衣類の種類や量によって傷んだり、しわになったりするのを防止し、乾燥時間と消費電力量のいずれを優先させるか、または両方をある程度優先させるかを選択できるようにし、使用者にあった仕上がりやランニングコストを実現する。【解決手段】筐体１内部に弾性的に吊支した外槽２内に、洗濯物を収容する内槽７を回転自在に支持し、内槽７の内底部に回転翼９を回転自在に設け、内槽７または回転翼９をモータ４により駆動し、乾燥用送風機４０により内槽７内に送風される空気をヒータ４２により加熱し、制御装置４５により洗い、すすぎ、脱水、乾燥の一連の行程を逐次制御する。制御装置４５は、乾燥行程にて、ヒータ４２を動作させないコースと、ヒータ４２を間欠動作させるコースと、ヒータ４２を連続動作させるコースとを制御するよう構成する。【選択図】図１
2005130987.tif 000002
【特許請求の範囲】
【請求項１】
筐体内部に弾性的に吊支した外槽と、前記外槽内に回転自在に支持し洗濯物を収容する内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、前記駆動手段、送風手段、加熱手段などの動作を制御し洗い、すすぎ、脱水、乾燥の一連の行程を逐次制御する制御手段とを備え、前記制御手段は、乾燥行程にて、前記加熱手段を動作させないコースと、前記加熱手段を間欠動作させるコースと、前記加熱手段を連続動作させるコースとを制御するよう構成した洗濯乾燥機。
【請求項２】
コースの切り換えなどを行う操作表示手段を備え、前記操作表示手段は、加熱手段を動作させないコースと、前記加熱手段を間欠動作させるコースと、前記加熱手段を連続動作させるコースとを一つの操作スイッチで切り換え設定するようにした請求項１記載の洗濯乾燥機。
【請求項３】
コースの切り換えなどを行う操作表示手段を備え、前記操作表示手段は、加熱手段を連続動作させるコースと前記加熱手段を間欠動作させるコースとを一つの操作スイッチで切り換え設定し、前記加熱手段を動作させないコースを別の操作スイッチで設定するようにした請求項１記載の洗濯乾燥機。
【発明の詳細な説明】
【技術分野】
【０００１】
本発明は、洗濯物を乾燥させる行程を有する洗濯乾燥機に関するものである。
【背景技術】
【０００２】
従来、この種の洗濯乾燥機は図７に示すように構成していた。以下、その構成について説明する。
【０００３】
図７に示すように、筐体１は、外槽２を複数のサスペンション３により懸垂防振支持している。外槽２の下方にモータ４を設け、中空で二軸構造となった洗濯・脱水軸５、および洗濯または脱水時によって回転力の伝達を洗濯・脱水軸５に切り換えるクラッチ６を介して、外槽２の内部に回転自在に設けた内槽７に連結している。
【０００４】
内槽７の上方に流体バランサー８を設けており、内槽７の内底部に回転翼９を回転自在に設け、この回転翼９は、外周部に傾斜面を有する略皿状の基盤の上面に撹拌ブレード１０を形成することで、乾燥行程においては、衣類を回転翼９の回転による遠心力で傾斜面に沿って上方へと舞い上がりやすくするとともに、表面から裏面に貫通する小穴１１を多数設けている。
【０００５】
温風送風機１２は、乾燥のために内槽７内に温風を送風するもので、筐体１の略上方に設けている。ヒータ１３は、温風送風機１２により送風する空気を加熱する。冷却用送風機１４は、筐体１の側壁に設け、外部から筐体１の内部に冷風を導入するものである。
【０００６】
外槽２の上面に外槽カバー１５を設け、この外槽カバー１５の略中心部に開閉自在の中蓋１６を設けている。外槽カバー１５に吐出口１７を設け、温風（循環風）を吐出させるようにしている。吐出口１７とヒータ１３につづく温風循環経路１８ａの開口部１９とは、略相対した位置関係に設け、これら開口部１９と吐出口１７とを略垂直方向に伸縮自在の蛇腹ホース２０により連結している。
【０００７】
外槽２の下部に温風、洗濯水、除湿水の出口２１を設け、この出口２１と温風循環経路１８とを伸縮自在の下部蛇腹ホース２２を介して連結している。温風循環経路１８の下部には、排水弁２３を介して排水口２４を設けている。２５は給水弁を含む給水部である。また、温風送風機１２の吸気側に吸気弁２６を介して吸気口２７を設けている。
【０００８】
温風送風機１２により循環する温風（循環風）は、ヒータ１３を通り、蛇腹ホース２０、吐出口１７、内槽７内部、回転翼９に設けた小穴１１、内槽７の周辺の小孔（図示せず）、外槽２の下部、外槽２の下部に設けた下部蛇腹ホース２２、温風循環経路１８を通り、再び温風送風機１２へと循環する。このとき、冷却用送風機１４により外部から導入した冷風により温風循環経路１８を冷却し、循環する高湿温風を除湿する。温度センサ２８は外槽２内に設け、循環風の温度を検知するようにしている。内槽７内には、投入された衣類（洗濯物および乾燥対象物）２９が入っている。
【０００９】
表示部３０は制御部３１に接続しており、制御部３１は、マイクロコンピュータを具備し、モータ４、温風送風機１２、ヒータ１３、冷却用送風機１４、排水弁２３、吸気弁２６などの動作を制御し、洗い、すすぎ、脱水、乾燥の各行程を逐次制御するように構成している。
【００１０】
また、制御部３１は、乾燥行程において、図８に示すように、衣類２９が内槽７の壁面に沿って内槽７の上方にせり上がり、回転中心部で回転翼９が見え出す程度の所定の回転数（たとえば、１８０ｒ／ｍｉｎ）で回転させる行程を有している。
【００１１】
上記構成においての動作を説明する。洗濯・すすぎ行程では、表示部３０に従い、制御部３１の制御により、排水弁２３を閉じた状態で、内槽７内に衣類２９と洗剤を投入し、給水部２５により水または湯を給水し、伝達機構部のクラッチ６の切り換えにより、モータ４の動力を洗濯・脱水軸５を介して、内槽７または回転翼９に伝達し、内槽７または回転翼９が回転することで、衣類２９に洗剤を含む水分を通過させたり、衣類２９を洗剤を含む水中で撹拌して洗濯・すすぎを行う。
【００１２】
脱水行程では、洗濯・すすぎ行程終了後、制御部３１により排水弁２３を開いて、内槽７内の水を排水口２４から外部へ排水した後、伝達機構部のクラッチ６を脱水側に切り換えて、モータ４の動力を洗濯・脱水軸５を介し内槽７に伝達して徐々に回転を上げて、８００ｒ／ｍｉｎ程度の回転数で回転させ、衣類２９に遠心力を与えることにより、水分を衣類２９から分離し、排水弁２３、排水口２４を通過して外部へ排水する。
【００１３】
乾燥行程では、同様に制御部３１により、まず、排水弁２３を閉じた上、回転翼９をゆっくり正逆に回転させることにより、脱水行程における内槽７の回転による遠心力で内槽７の内壁に張り付いた衣類２９を引き剥がす衣類剥がし行程の後、内槽７の回転数を所定の回転数（１８０ｒ／ｍｉｎ）程度まで上げて、衣類２９を内槽７の内壁に沿って上方へせり上げる。
【００１４】
このとき、温風は、吐出口１７、内槽７の内部にある衣類２９の表面をなぞって、回転翼９の小穴１１、および一部は内槽７の内壁に設けた小孔（図示せず）を通過して外槽２の内部へと内槽７内でよどむことなく流れ、その後、外槽２の下部の出口２１へ移る。
【００１５】
この内槽７内を通過するとき、衣類２９の表面に当たるときに衣類に含まれる水分を取って温風循環経路１８へと流れ込み、ここで冷却用送風機１４による外部の空気によって冷やされて除湿される。除湿された水分は、温風循環経路１８の下部に集まり、排水弁２３が開かれたときに排水口２４から外部へ排水される。
【００１６】
この状態を数分つづけた後、図７に示すように、回転翼９を正逆に数回回転させ、その後、再度内槽７を所定の回転数で回転させる行程へ戻り、この動作を繰り返し行う。
【００１７】
なお、この乾燥行程には、温風送風機１２の吸気側に設けている吸気弁２６を開けて、吸気口２７から外気を内槽７内部に導入するように設定する（例えば、特許文献１参照）。
【特許文献１】特開２００２−１５９７８１号公報
【発明の開示】
【発明が解決しようとする課題】
【００１８】
このような従来の構成では、乾燥行程にて、衣類の種類によっては、熱に弱く、傷んだり、しわになったりするという問題があった。また、衣類の量によってしわになったり、多大な消費電力量を必要としたり、乾燥効率が低下するという問題があった。
【００１９】
さらに、使用者が一つの乾燥パターンしか選択できず、乾燥時間を優先させると消費電力量が多くなり、消費電力量を優先させると乾燥時間が長くなり、使用者にあった仕上がりやランニングコストを実現できないという問題があった。
【００２０】
本発明は上記従来の課題を解決するもので、乾燥行程にて、衣類の種類や量によって傷んだり、しわになったりするのを防止し、乾燥時間と消費電力量のいずれを優先させるか、または両方をある程度優先させるかを選択できるようにし、使用者にあった仕上がりやランニングコストを実現することを目的としている。
【課題を解決するための手段】
【００２１】
本発明は上記目的を達成するために、筐体内部に弾性的に吊支した外槽内に、洗濯物を収容する内槽を回転自在に支持し、内槽の内底部に回転翼を回転自在に設け、内槽または回転翼を駆動手段により駆動し、送風手段により内槽内に送風される空気を加熱手段により加熱し、制御手段により駆動手段、送風手段、加熱手段などの動作を制御し洗い、すすぎ、脱水、乾燥の一連の行程を逐次制御するよう構成し、制御手段は、乾燥行程にて、加熱手段を動作させないコースと、加熱手段を間欠動作させるコースと、加熱手段を連続動作させるコースとを制御するよう構成したものである。
【００２２】
これにより、乾燥行程にて、衣類の種類や量によって傷んだり、しわになったりするのを防止し、乾燥時間と消費電力量のいずれを優先させるか、または両方をある程度優先させるかを選択することができ、使用者にあった仕上がりやランニングコストを実現することができる。
【発明の効果】
【００２３】
本発明の洗濯乾燥機は、乾燥行程にて、衣類の種類や量によって傷んだり、しわになったりするのを防止し、乾燥時間と消費電力量のいずれを優先させるか、または両方をある程度優先させるかを選択することができ、使用者にあった仕上がりやランニングコストを実現することができる。
【発明を実施するための最良の形態】
【００２４】
第１の発明は、筐体内部に弾性的に吊支した外槽と、前記外槽内に回転自在に支持し洗濯物を収容する内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、前記駆動手段、送風手段、加熱手段などの動作を制御し洗い、すすぎ、脱水、乾燥の一連の行程を逐次制御する制御手段とを備え、前記制御手段は、乾燥行程にて、前記加熱手段を動作させないコースと、前記加熱手段を間欠動作させるコースと、前記加熱手段を連続動作させるコースとを制御するよう構成したものであり、加熱手段を動作させないコースでは、化繊などの水分を含みにくい衣類をしわをつけることなく少ない消費電力量で乾燥することができ、加熱手段を間欠動作させるコースでは、加熱手段を連続動作させるコースと比べ、乾燥時間は長くなるが、少ない消費電力量で乾燥することができ、加熱手段を連続動作させるコースでは、衣類の量や種類に関係なく乾燥効率を向上し、乾燥時間を短縮することができ、これら３つのコースを適宜選択することにより、衣類の種類や量によって傷んだり、しわになったりするのを防止し、乾燥時間と消費電力量のいずれを優先させるか、または両方をある程度優先させるかを選択することができ、使用者にあった仕上がりやランニングコストを実現することができる。
【００２５】
第２の発明は、上記第１の発明において、コースの切り換えなどを行う操作表示手段を備え、前記操作表示手段は、加熱手段を動作させないコースと、前記加熱手段を間欠動作させるコースと、前記加熱手段を連続動作させるコースとを一つの操作スイッチで切り換え設定するようにしたものであり、一つの操作スイッチの切り換え操作で、３つのコースを適宜設定することができ、乾燥時間と消費電力量のいずれを優先させるか、または両方をある程度優先させるかを選択して設定することができ、使用者にあった仕上がりやランニングコストを実現することができる。
【００２６】
第３の発明は、上記第１の発明において、コースの切り換えなどを行う操作表示手段を備え、前記操作表示手段は、加熱手段を連続動作させるコースと前記加熱手段を間欠動作させるコースとを一つの操作スイッチで切り換え設定し、前記加熱手段を動作させないコースを別の操作スイッチで設定するようにしたものであり、加熱手段を動作させないコースを別の操作スイッチで設定することにより、加熱手段を動作させるかどうかをより明確に認識でき、そして、使用者が複数の乾燥パターンを選択でき、使用者にあった仕上がりやランニングコストを実現することができる。
【００２７】
以下、本発明の実施の形態について、図面を参照しながら説明する。なお、従来例と同じ構成のものは同一符号を付して説明を省略する。また、この実施の形態によって本発明が限定されるものではない。
【００２８】
（実施の形態１）
図１に示すように、外槽カバー３２は、略ドーナツ状に形成し、外槽２の上方開口側に配設し、送風蛇腹ホース３３から温風を供給する温風供給口３４を設けている。また、この外槽カバー３２に内蓋３５を開閉自在に設け、衣類を出し入れ可能にしている。
【００２９】
筐体カバー３６は、筐体１の上部に配置し、その開口部を蓋体３７により開閉自在に覆うとともに、操作表示手段３８、内槽７に給水する給水弁３９を設けている。筐体カバー３６の後方には、送風手段である乾燥用送風機４０を配置し、一端は吸気フィルター４１を介して機体外に通じている。乾燥用送風機４０は吸気フィルター４１を介して機体外から吸気し、他端の加熱手段であるヒータ４２を通って加熱した温風を温風供給口３４より、内槽７内に送り込む。内槽７内にて衣類の水分を蒸発させ湿気を含んだ温風は、排気口４３から排気フィルター４４を介し排出される。
【００３０】
制御装置（制御手段）４５は、外枠１の背面に配設された裏板４６に取付けており、マイクロコンピュータを具備し、モータ（駆動手段）４、クラッチ６、排水弁４８、給水弁３９、乾燥用送風機４０、ヒータ４２などの動作を制御し、洗い、すすぎ、脱水、乾燥の一連の行程を逐次制御する。
【００３１】
ここで、制御装置４５は、乾燥行程にて、ヒータ４２を動作させないコースと、ヒータ４２を間欠動作させるコースと、ヒータ４２を連続動作させるコースとを制御するよう構成している。操作表示手段３８は、図２に示すように、一つの操作スイッチ５１でヒータ４２を動作させないコースと、ヒータ４２を間欠動作させるコースと、ヒータ４２を連続動作させるコースを切り換え設定できるようにしており、それぞれのコースに切り換えたとき、ヒータオフ表示部５２ａ、ヒータオンオフ表示部５２ｂ、ヒータオン表示部５３ｃを点灯するようにしている。
【００３２】
ヒータ４２を動作させないコースは、図３に示すように、内槽７の回転により自然風が発生する回転数（例えば、７００ｒ／ｍｉｎ）で内槽７を回転させ、かつヒータ４２に通電しない状態で乾燥用送風機４０により内槽７に送風する第１の行程を有している。この第１の行程を乾燥行程の初期に所定時間（Ｔ１）（例えば、乾燥行程の２／５）行うようにしている。
【００３３】
また、ヒータ４２を間欠動作させるコースは、図４に示すように、内槽７の回転により自然風が発生する回転数（例えば、７００ｒ／ｍｉｎ）で内槽７を回転させ、乾燥用送風機４０により内槽７に送風する第１の行程の初期に、ヒータ４２によって加熱した温風を送風するようにしている。
【００３４】
また、ヒータ４２を連続動作させるコースは、図５に示すように、内槽７の回転により自然風が発生する回転数（例えば、７００ｒ／ｍｉｎ）で内槽７を回転させ、乾燥用送風機４０により内槽７に送風する第１の行程にて、ヒータ４２を連続動作させ、ヒータ４２によって加熱した温風を送風するようにしている。
【００３５】
上記構成において、操作スイッチ５１によりヒータ４２を動作させないコースに設定した場合の動作を説明する。洗い行程では、蓋体３７と内蓋３５を開けて、内槽７に衣類を投入し運転を開始すると、給水弁３９が開き、外槽カバー３２に接続された給水蛇腹ホース４７を通して所定の水位まで給水した後、モータ４を駆動する。伝達機構部のクラッチ６によりモータ４の動力が洗濯軸４９を介して回転翼９に伝達されて駆動し、撹拌ブレード１０により衣類を撹拌し、衣類どうしまたは内槽７や回転翼９との接触により作用する機械力と水流により衣類の洗浄が行われる。
【００３６】
脱水行程では、洗濯終了後、排水弁４８を開いて内槽７内の水を排水した後、クラッチ６を脱水側に切り換えて、モータ４の動力を脱水軸５０に伝達して内槽７を駆動し、遠心力により衣類から水分を分離させる。
【００３７】
乾燥行程では、第１の行程として、脱水終了後、排水弁４８を閉じ、クラッチ６を脱水側のまま、モータ４の回転を内槽７に伝達し、内槽７の回転により自然風が発生する回転数（例えば、７００ｒ／ｍｉｎ）で内槽７を回転させる。衣類は脱水行程後の内槽７の内壁に張り付いたまま、または、衣類を投入し乾燥行程からの場合は内槽７の内壁に沿って上方へせり上がり、内槽７の内壁に分散し、ほぼ均等配置した状態となる。
【００３８】
このとき、自然風は内槽７の中心上方から下方へ引き込まれ、乾燥用送風機４０から送風された相対湿度が低い風とともに、内槽７の回転による遠心力で内槽７の中心から内槽７内壁に分散された衣類の間を通過し、内槽７の小孔を通過し、外槽２の内壁を沿って上方に流れ、内槽７の上方の排気フィルター４４から排出される。
【００３９】
この自然風と乾燥用送風機４０から送風された相対湿度が低い風は、衣類の間を均等に通過することができ、ヒータ４２によって加熱した温風を供給することなく衣類から水分を蒸発させ、乾燥を進行することができる。
【００４０】
その後、図２に示すように、第２の行程として、ヒータ４２に通電しない状態で、回転翼９を正逆に回転させることで内槽７の内壁に張り付いた衣類を引き剥がし、回転翼９を正逆に回転と内槽７の低い回転数（例えば、３５ｒ／ｍｉｎ）の繰り返す行程を所定時間（Ｔ２−Ｔ１）行い、その後、第３の行程として、ヒータ４２に通電しない状態で、回転翼９を正逆に回転の連続の行程を所定時間（Ｔ３−Ｔ２）行うことで、化繊などの水分を含みにくい衣類はしわを付けることなく、少ない消費電力量で乾燥することができる。ここで、第２の行程と第３の行程は衣類の種類や量によっては、なくてもよいものである。
【００４１】
これにより、ヒータ４２を動作させないコースでは、ブラウス、ワイシャツ、ジャージ等の化繊などの水分を含みにくい衣類をしわをつけることなく、少ない消費電力量で乾燥することができ、また、水着、ブラウス等の熱に弱い衣類を乾燥することができる。
【００４２】
つぎに、ヒータ４２を間欠動作させるコースを設定した場合の動作を説明する。なお、洗い行程から脱水行程までの動作は上述した動作と同じであるので説明を省略する。
【００４３】
乾燥行程の第１の行程にて、内槽７の回転により自然風が発生する回転数で内槽７を回転させ、乾燥用送風機４０から送風する行程の初期に、所定時間（Ｔ４）ヒータ４２によって加熱した温風を送風することにより、衣類から水分を蒸発させ、さらに外槽２と内槽７と衣類が暖められる。その後、ヒータ４２による加熱を停止しても、外槽２と内槽７と衣類の余熱により、より効果的に衣類から水分を蒸発させ、乾燥が進行する。
【００４４】
このように第１の行程の内槽７を回転させている初期にヒータ４２を加熱し、その後、加熱を停止することで、衣類の乾燥速度が速くなり、乾燥時間を短縮し、少ない消費電力量で、衣類を乾燥することができ、しわも低減できる。
【００４５】
ここで、第１の行程の初期に、ヒータ４２によって加熱した温風を送風する構成としているが、ヒータ４２による加熱を停止した後、さらに、間欠的にヒータ４２によって加熱してもよく、同様の作用効果を得ることができる。また、第２の行程および第３の行程では、ヒータ４２に通電してもしなくてもよい。
【００４６】
これにより、ヒータ４２を間欠動作させるコースでは、ヒータ４２を連続動作させるコースと比べ、乾燥時間は長くなるが、少ない消費電力量で乾燥することができる。
【００４７】
つぎに、ヒータ４２を連続動作させるコースを設定した場合の動作を説明する。なお、洗い行程から脱水行程までの動作は上述した動作と同じであるので説明を省略する。
【００４８】
乾燥行程の第１の行程にて、内槽７の回転により自然風が発生する回転数で内槽７を回転させ、ヒータ４２によって加熱した温風を送風するとともに、つづく第２の行程および第３の行程のすべてにて、ヒータ４２を動作させ、温風を送風し続けることで、効率よく衣類の乾燥を行うことができる。
【００４９】
このように第１の行程から、ヒータ４２を連続動作させるようにしたので、ヒータ４２により加熱した温風を連続供給することで、乾燥効率を向上することができ、同じ量の衣類であれば、乾燥時間を短縮することができる。また、同じ乾燥時間であれば、より多くの衣類を乾燥することができる。
【００５０】
以上のように、本実施の形態においては、３つのコース、すなわち、加熱手段を動作させないコースと、加熱手段を間欠動作させるコースと、加熱手段を連続動作させるコースを制御するようにしたので、これら３つのコースを適宜選択することにより、衣類の種類や量によって傷んだり、しわになったりするのを防止し、乾燥時間と消費電力量のいずれを優先させるか、または両方をある程度優先させるかを選択することができ、使用者にあった仕上がりやランニングコストを実現することができる。
【００５１】
また、ヒータ４２を動作させないコースと、ヒータ４２を間欠動作させるコースと、ヒータ４２を連続動作させるコースとを一つの操作スイッチ５１で切り換え設定できるようにしたので、一つの操作スイッチ５１の切り換え操作で、３つのコースを適宜設定することができ、乾燥時間と消費電力量のいずれを優先させるか、または両方をある程度優先させるかを選択して設定することができ、使用者にあった仕上がりやランニングコストを実現することができる。
【００５２】
（実施の形態２）
図１に示す操作表示手段３８は、図６に示すように、一つの操作スイッチ５３でヒータ４２を連続動作させるコースと、ヒータ４２を間欠動作させるコースとを切り換え設定し、別の操作スイッチ５４でヒータ４２を動作させないコースを設定できるよう構成している。他の構成は上記実施の形態１と同じである。
【００５３】
上記構成において作用を説明する。操作表示手段３８は、ヒータ４２を連続動作させるコースとヒータ４２を間欠動作させるコースとを一つの操作スイッチ５３で切り換え設定し、ヒータ４２を動作させないコースを別の操作スイッチ５４で設定するようにしたので、ヒータ４２を動作させないコースを別の操作スイッチ５４で設定することにより、ヒータ４２を動作させるかどうかをより明確に認識でき、そして、使用者が複数の乾燥パターンを選択でき、使用者にあった仕上がりやランニングコストを実現することができる。
【産業上の利用可能性】
【００５４】
以上のように、本発明にかかる洗濯乾燥機は、乾燥行程にて、衣類の種類や量によって傷んだり、しわになったりするのを防止し、乾燥時間と消費電力量のいずれを優先させるか、または両方をある程度優先させるかを選択することができ、使用者にあった仕上がりやランニングコストを実現することができるので、洗濯物を乾燥させる行程を有する洗濯乾燥機として有用である。
【図面の簡単な説明】
【００５５】
【図１】本発明の実施の形態１の洗濯乾燥機の断面図
【図２】同洗濯乾燥機の操作表示部の一部切欠した正面図
【図３】同洗濯乾燥機の加熱手段を動作させないコースの動作タイムチャート
【図４】同洗濯乾燥機の加熱手段を間欠動作させるコースの動作タイムチャート
【図５】同洗濯乾燥機の加熱手段を連続動作させるコースの動作タイムチャート
【図６】本発明の実施の形態２の洗濯乾燥機の操作表示部の一部切欠した正面図
【図７】従来の洗濯乾燥機の断面図
【図８】同洗濯乾燥機の要部動作タイムチャート
【符号の説明】
【００５６】
１  筺体
２  外槽
４  モータ（駆動手段）
７  内槽
９  回転翼
４０  乾燥用送風機（送風手段）
４２  ヒータ（加熱手段）
４５  制御装置（制御手段）
【図１】
2005130987.tif 000003
【図２】
2005130987.tif 000004
【図３】
2005130987.tif 000005
【図４】
2005130987.tif 000006
【図５】
2005130987.tif 000007
【図６】
2005130987.tif 000008
【図７】
2005130987.tif 000009
【図８】
2005130987.tif 000010